(57)【要約】【課題】事実上、改造が不可能な消火器を提供する。【解決手段】薬剤を収容する容器本体１と、手動操作に対応して薬剤を外部に噴出させる操作部２とを有し、容器本体１と操作部２とが分離不能に接続された消火器である。容器本体１から略円筒状に突出する突出金具１２と、突出金具１２に内挿されて薬剤通路を形成する略円筒状の固定金具２０と、が設けられ、突出金具１２の内周面ＴＰと固定金具２０の外周面に、互いの接触により薬剤を封止する第一シール部２６を設けると共に、第一シール部２６より上方位置において固定金具の薬液通路を封止する第二シール部２５を設け、操作部２の操作に対応して、第二シール部２５が破断するよう構成した。【選択図】図４
2010082349.tif 000002
【特許請求の範囲】
【請求項１】
薬剤を収容する容器本体と、手動操作に対応して前記薬剤を外部に噴出させる操作部とを有し、前記容器本体と前記操作部とが分離不能に接続された消火器であって、
前記容器本体から略円筒状に突出する外側金具と、前記外側金具に内挿されて薬剤通路を形成する略円筒状の内側金具と、が設けられ、
前記外側金具の内周面と前記内側金具の外周面に、互いの接触により薬剤を封止する第一シール部を設けると共に、第一シール部より上方位置において前記内側金具の薬液通路を封止する第二シール部を設け、前記操作部の操作に対応して、前記第二シール部が破断するよう構成したことを特徴とする消火器。
【請求項２】
前記操作部は、略円柱状に開放した装着穴を有する操作ヘッドと、挟持操作可能な操作レバーと、薬剤を噴出させる放出部と、前記挟持操作に対応して移動する可動部と、を有して構成され、
前記操作レバー、前記放出部、及び前記可動部が、前記操作ヘッドに装着され、
前記操作ヘッドの装着穴に前記外側金具を収容した状態で、前記操作ヘッドが、前記外側金具に分離不能に装着されている請求項１に記載の消火器。
【請求項３】
前記可動部は、
弾性体を付勢状態に維持する阻止部材、及び、前記弾性体を収容する略円筒状の内側ケースと、
前記内側ケースを収容する略円筒状の外側ケースと、
前記内側ケースに設けられた排出穴と、前記阻止部材に設けられた円弧溝とで形成された内部空間に配置されるボール体と、を有して構成され、
前記ボール体は、前記外側ケースに規制されて前記内部空間に保持されており、
前記外側ケースには、前記操作レバーの挟持操作に対応して破断される破断予備ラインが設けられ、前記内側ケースと外側ケースとは、外側ケースの上部から挿入されたネジ部材によって固定されている請求項２に記載の消火器。
【請求項４】
前記阻止部材には、前記第二シールに向けて延びる破断部材が設けられ、
前記破断予備ラインが破断されると、前記外側ケースの規制が解除されたボール体が排出されることで、前記阻止部材が、前記弾性体の付勢力に基づいて前記破断部材と共に降下して、前記破断部材が前記第二シール部を破断するよう構成された請求項３に記載の消火器。
【請求項５】
前記操作ヘッドの装着穴の径方向外側には、カム面を有してカムローラを収容した収容室が形成されており、前記カムローラが前記外側金具の外周面と接触して、ワンウェイクラッチを構成している請求項２に記載の消火器。
【請求項６】
前記本容器本体は、有底円筒状の容器下部と容器上部とが、互いの開口部を対面させて固着させて構成される請求項１〜５の何れかに記載の消火器。
【請求項７】
前記容器下部と前記容器上部とを固着させた固着ラインに近接して、前記容器下部と前記容器上部には、再貼着不能のラベルが貼着されている請求項６に記載の消火器。
【請求項８】
前記容器本体には、容器内部から締め付け固定された圧力計が装着されている請求項１〜７の何れかに記載の消火器。
【発明の詳細な説明】
【技術分野】
【０００１】
本発明は、違法改造が事実上不可能な消火器に関するものである。
【背景技術】
【０００２】
昨年７月、ロンドンの地下鉄爆破事件では、爆発装置に消火器が利用された。本来、消火器は、社会の安全を維持するために設置されるものであり、先の事件では、市民から信頼を得てきた実績を悪用して、爆破テロを成功させたと考えることもできる。
【０００３】
従って、今後は、各所に設置されている消火器が、本当に安全であるか否かの直前点検も必要となるとも想定される。また、爆薬以外にも消火薬剤を燃料と取り替えることで、その放射機能が火災を拡大させる悪用も否定できないところである。
【発明の開示】
【発明が解決しようとする課題】
【０００４】
以上の点は、欧米諸国に限らず、日本でも懸念されるところ、テロ対策用として設計された消化器については未だ知られていない。したがって、安全性が担保されて、従来通り、市民生活に寄与する消火器としては、（１）従来機種との差異が外観で区別出来る形状であること、（２）改造が不可能な構造であること、（３）再充填が不可能な構造であること、（４）簡単に防犯機能が失われないこと、などが重要であると考えられる。
【０００５】
本発明は、上記の問題点に鑑みてなされたものであって、犯罪に悪用されることのない消火器を提供することを目的とする。
【課題を解決するための手段】
【０００６】
上記の目的を達成するため、本発明に係る消火器は、薬剤を収容する容器本体と、手動操作に対応して前記薬剤を外部に噴出させる操作部とを有し、前記容器本体と前記操作部とが分離不能に接続された消火器であって、前記容器本体から略円筒状に突出する外側金具と、前記外側金具に内挿されて薬剤通路を形成する略円筒状の内側金具と、が設けられ、前記外側金具の内周面と前記内側金具の外周面に、互いの接触により薬剤を封止する第一シール部を設けると共に、第一シール部より上方位置において前記内側金具の薬液通路を封止する第二シール部を設け、前記操作部の操作に対応して、前記第二シール部が破断するよう構成されている。
【０００７】
前記操作部は、好ましくは、略円柱状に開放した装着穴を有する操作ヘッドと、挟持操作可能な操作レバーと、薬剤を噴出させる放出部と、前記挟持操作に対応して移動する可動部と、を有して構成され、前記操作レバー、前記放出部、及び前記可動部が、前記操作ヘッドに装着され、前記操作ヘッドの装着穴に前記外側金具を収容した状態で、前記操作ヘッドが、前記外側金具に分離不能に装着されているのが好ましい。
【０００８】
前記可動部は、好ましくは、弾性体を付勢状態に維持する阻止部材、及び、前記弾性体を収容する略円筒状の内側ケースと、前記内側ケースを収容する略円筒状の外側ケースと、前記内側ケースに設けられた排出穴と、前記阻止部材に設けられた円弧溝とで形成された内部空間に配置されるボール体と、を有して構成され、前記ボール体は、前記外側ケースに規制されて前記内部空間に保持されており、前記外側ケースには、前記操作レバーの挟持操作に対応して破断される破断予備ラインが設けられ、前記内側ケースと外側ケースとは、外側ケースの上部から挿入されたネジ部材によって固定されているのが好適である。
【０００９】
前記阻止部材には、好ましくは、前記第二シールに向けて延びる破断部材が設けられ、前記破断予備ラインが破断されると、前記外側ケースの規制が解除されたボール体が排出されることで、前記阻止部材が、前記弾性体の付勢力に基づいて前記破断部材と共に降下して、前記破断部材が前記第二シール部を破断するよう構成されるのが好適である。
【００１０】
好ましくは、前記操作ヘッドの装着穴の径方向外側には、カム面を有してカムローラを収容した収容室が形成されており、前記カムローラが前記外側金具の外周面と接触して、ワンウェイクラッチを構成しているべきである。
【００１１】
前記本容器本体は、好ましくは、有底円筒状の容器下部と容器上部とが、互いの開口部を対面させて固着させて構成される。この場合、前記容器下部と前記容器上部とを固着させた固着ラインに近接して、前記容器下部と前記容器上部には、再貼着不能のラベルが貼着されているのが好適である。
【００１２】
また、前記容器本体には、好ましくは、容器内部から締め付け固定された圧力計が装着されている。
【発明の効果】
【００１３】
上記した本発明によれば、違法改造が事実上不可能であり、犯罪に悪用されることのない消火器を実現することができる。
【発明を実施するための最良の形態】
【００１４】
以下、実施例に基づいて本発明を詳細に説明する。図１は、実施例に係る消火器ＥＸを示す正面図であり、図１（ａ）は完成状態、図１（ｂ）は分離状態を示している。図２〜図５は、その細部を示す図面であり、図２は、圧力計の取付構造を図示している。
【００１５】
図１（ｂ）に示す通り、この消火器ＥＸは、容器本体１と、操作部２とに大別され、両者が分離不能に接続されて構成されている。容器本体１は、金属製の圧力容器であり、ほぼ同形で有底円筒状の容器下部１Ａと容器上部１Ｂとが、互いの開口部ＨＯが溶接されて一体化されている。
【００１６】
容器下部１Ａには、ノズル固定具１０が溶着されると共に、略コップ状のサドル１１が接着されている。サドル１１は、容器下部１Ａの底面形状に対応して湾曲する湾曲底部１１ａと、下方に向けてテーパ状に広がる周縁１１ｂとを有している。なお、湾曲底部１１ａには開口が設けられているが、湾曲底部１１ａの上面と容器下部１Ａの下面とが接着されている。ここで、サドル１１は、透光性を有するプラスチックで構成されており、サドル１１の内部空間ＳＰを悪用して、異物が装着された場合でも、これを容易に検出することできる。
【００１７】
容器上部１Ｂには、操作部２を分離不能に接続する突出金具１２（外側金具）が溶接され、突出金具１２の内周にはサイホン固定金具２０（内側金具）が螺合されている。突出金具１２は、全体として略円筒状であり、図４（ａ）に拡大して示す通り、上端側の内径は、上方に向けて拡径されてテーパ面ＴＰを形成している。そして、テーパ面ＴＰを除く内周にはネジ溝が形成されている。また、突出金具１２の外周にも、下端部１２ａを除いてネジ山が形成されている。突出金具１２の下端部１２ａの外周は、ネジ山を設けない平坦面であり、後述するロックカムローラ３１や操作ヘッド２１と共に、ワンウェイクラッチを形成している（図４（ｂ）参照）。なお、図４（ｂ）は、図４（ａ）の切断ラインＢで切断した概略断面図である。
【００１８】
図４（ａ）に拡大して図示する通り、固定金具２０には、大径円筒部２０ａと、大径円筒部２０ａから下方に向けて外径が縮径される連絡部２０ｂと、外周にネジ山を設けた小径円筒部２０ｃとが設けられている。大径円筒部２０ａの基端（図示の上端）には、金属製の密封板２５（第二シール部）が溶接されて、固定金具２０の基端を閉塞している。
【００１９】
連絡部２０ｂの外周は、突出金具１２のテーパ面ＴＰに対応して傾斜するテーパ面となっている。但し、その一部に、テーパ面にほぼ直交して隆起する隆起部２６が形成されている。そのため、固定金具２０を、突出金具１２に限界位置までネジ込むと、連絡部２０ｂに形成された隆起部２６が、突出金具１２のテーパ面ＴＰにメタルタッチして、円環状のシールライン（第一シール部）が形成される。
【００２０】
固定金具２０の小径円筒部２０ｃの内部には、先端側からチューブ状のサイホン２７が圧入されて固定されている。なお、サイホン２７は、好ましくはアルミニウム製であり、容器本体１の底面付近まで延びている。
【００２１】
また、小径円筒部２０ｃには、その内部と外部とを連絡する連通穴２８が設けられている。連通穴２８は、サイホン２７の上端面より上方に配置されており、消化剤の加圧充填時には、その導入路として機能する。但し、連通穴２８は、隆起部２６の下方位置に設けられているので、固定金具２０を突出金具１２に装着した完成状態では、加圧状態の消化剤は、隆起部２６と密封板２５とによって確実に封止される。
【００２２】
図１及び図２（ｂ）に示すように、突出金具１２の下方位置には、圧力計１３が装着されている。圧力計１３は、容器本体１（実際には容器上部１Ｂ）を貫通して装着されている。具体的には、容器本体１に挿入された圧力計１３の突出部１３ａに、容器本体１の内部から、湾曲座金１６及びスプリングワッシャ１７を介してロックナット１８が締め込まれている。したがって、一旦、容器下部１Ａと容器上部１Ｂとを溶接した後は、圧力計１３を取り替えることができず、違法改造を困難にしている。
【００２３】
図２（ａ）に示す通り、圧力計１３の突出部１３ａは、フィルタ１４を介してブルドン管１３ｂに連通している。そして、指針１３ｃが内部圧力を表示するので、この意味でも、消火器の違法改造を困難にしている。なお、容器本体１に形成した開口穴は、突出部１３ａに外嵌されたＯリング１５によって確実にシールされる。
【００２４】
突出金具１２及び圧力計１３を装着した容器上部１Ｂを、容器下部１Ａに溶接した後、容器上部１Ｂと容器下部１Ａには、溶接ラインＬＮに近接してラベル１９Ａ，１９Ｂが貼着される（図１（ａ）参照）。このラベル１９Ａ．１９Ｂは、一旦、剥離すると変形して再貼着することができない。また、ラベル１９Ａ．１９Ｂは、溶接ラインＬＮに近接して貼着されているので、溶接ラインＬＮを利用した再加工が実施されると、その痕跡がラベルに残ることになる。
【００２５】
図３（ｃ）は、操作部２の構成を示す全体図であり、図３（ａ）は、図３（ｃ）の切断ラインＡで切断した概略断面図、図３（ｂ）は操作部の平面図である。操作部２は、突出金具１２の外周に螺合される操作ヘッド２１と、操作ヘッド２１に溶着される操作レバー２２と、操作ヘッド２１に固着される放出部２３と、操作レバー２２の挟持動作に対応して消化剤を噴出させる可動部２４とを有して構成されている。
【００２６】
操作ヘッド２１は、下方に開放した箱状の装着穴を有する下方ヘッド２１ａと、略角柱状の上方ヘッド２１ｂとに大別される（詳細には図４（ａ）参照）。そして、下方ヘッド２１ａには、装着穴の最上部にガスケット４０Ａを配置した状態で、突出金具１２及び固定金具２０が収容されている。また、上方ヘッド２１ｂには、操作レバー２２、放出部２３及び可動部２４が固着されている。
【００２７】
下方ヘッド２１ａの先端部は、カム面ＣＡＭを形成した収容室３０が等間隔で４個形成され（図４（ｂ））、収容室３０の内部には、ロックカムローラ３１が各々配置されている。なお、先に説明した通り、図４（ｂ）は、図４（ａ）の切断ラインＡで切断した概略断面図である。
【００２８】
ロックカムローラ３１は、略円柱状の本体部３１ａを有し、本体部３１ａには、ゴム製のＯリング３１ｂが二列巻着されている。そして、収容室３０の底部は、ローラカバー３２で閉塞されている。なお、図示省略しているが、ロックカムローラ３１は、収容室３０の内部で図４（ｂ）の反時計方向に付勢されている。
【００２９】
下方ヘッド２１ａの内周面であって、収容室３０の上部には、突出金具１２に形成されたネジ山に対応するネジ溝が形成されている。ここで、ネジ溝とネジ山のピッチは一致しているものの、製品毎にネジの始点を５°単位で、ずらしている。そのため、違法改造品ではネジの始点が一致しない可能性が高く、突出金具１２に操作ヘッド２１が螺合された場合に、その螺合完了位置が異なることで、違法改造の事実が判明する。なお、螺合完了位置が正しくないことは、操作レバー２２と圧力計１３などの位置関係か、或いは、操作ヘッド２１と容器本体１との間に生じる余分の隙間から判定することができる。
【００３０】
図５（ｂ）に示す通り、操作ヘッド２１の上方ヘッド２１ｂには、垂直穴ＧＶ１と水平穴ＧＶ２が形成され、垂直穴ＧＶ１と水平穴ＧＶ２の内周面には、各々ネジ溝が形成されている。そして、水平穴ＧＶ２には放出部２３が螺合され、垂直穴ＧＶ１には可動部２４が螺合されている。なお、垂直穴ＧＶ１の底面には、ガスケット４０Ｂが配置されており、可動部２４の動作状態に拘わらず、消化剤が可動部２４に漏出することはない。
【００３１】
水平穴ＧＶ２に螺合される放出部２３は、ホース金具５１と、ホース金具５１に外嵌されるホース５２とを有して構成されている（図３（ｃ））。ここで、ホース金具５１は、その外周にシール性能を有する接着剤を塗布した状態で、上方ヘッド２１ｂに螺合されており、接着剤が乾燥した後は分離不能であって、且つ、確実なシール性能を発揮する。なお、ホース５２の先端は、ノズル固定具１０に収容される（図１）。
【００３２】
図５（ｂ）に示す通り、可動部２４は、垂直穴ＧＶ１に螺合される金属製のスプリングケース４１と、スプリングケース４１に収容される開封スプリング４２と、開封スプリング４２の下方に配置されるバネ座４３と、バネ座４３に固着された破封矢４４と、バネ座４３の周縁に配置される複数個のストッパボール４５と、ストッパボール４５を収容した状態でスプリングケース４１に固定されるボールホルダ４６と、を有して構成されている。
【００３３】
ここで、ストッパボール４５は、消火器の未使用時に、スプリングケース４１とバネ座４３とを結合状態にして、開封スプリング４２を収縮状態に維持する係止部材である。一方、このストッパボール４５は、消火器の使用時には、スプリングケース４１の外側に転がり出るよう、適宜な重量を有する滑らかな球体で構成されている。
【００３４】
スプリングケース４１は、上方を閉塞し下方を開放した有底円筒状に形成されおり、先端側の外周面４１ａには、操作ヘッド２１の上方ヘッド２１ｂのネジ溝に対応するネジ山が設けられている。また、スプリングケース４１の底面にも、ボールホルダ４６をスプリングケース４１に固定するためのネジ穴が設けられている。
【００３５】
スプリングケース４１の外周には、ストッパボール４５が容易に通過可能な排出穴４７が設けられている。図５（ａ）及び図５（ｂ）に現れる通り、排出穴４７は、スプリングケース４１の装着状態では、操作ヘッド２１の最上面より上方に位置し、同一平面上で等間隔に複数個が設けられている。なお、図５（ａ）は、図５（ｂ）の切断ラインＡで切断した概略断面図である。
【００３６】
バネ座４３は、周縁に、リング状の円弧溝ＧＵを周回させた円盤部４３ａと、円盤部４３ａから下方に突出する円柱部４３ｂと、に区分される。図５（ａ）に示す通り、円弧溝ＧＵは、スプリングケース４１の排出穴４７に対応して設けられ、ボールホルダ４６に保持されたストッパボール４５が当接されている。但し、円弧溝ＧＵには、ストッパボール４５の球面の１／３程度しか当接されないよう構成されているので、ボールホルダ４６の規制が外れると、ストッパボール４５は、開封スプリング４２の付勢力によって、円弧溝ＧＵの外側に押し出される。
【００３７】
バネ座４３の円柱部４３ｂには、略円筒状の破封矢４４が外嵌されている。破封矢４４は、消火器の使用時に、開封スプリング４２の付勢力に基づいて密封板２５を開封するため、その先端４４ａが、尖った傾斜形状を有している。また、破封矢４４には、縦長の切込み溝４４ｂが形成されており、この切込み溝４４ｂが放出部２３に向くようバネ座４３に装着されている。したがって、破封矢４４が密封板２５を開封した状態では、サイホン２７から破封矢４４に至る通路を上昇した消化剤が、切込み溝４４ｂ通過して放出部２３に移動する。
【００３８】
ボールホルダ４６は、比較的薄いアルミニウムや合成樹脂で構成され、上方を閉塞し下方を開放した有底円筒状に形成されている。ボールホルダ４６は、上方に位置する破断底面４６ａと、円筒本体部４６ｂと、操作レバー２２に当接される当接部４６ｃとに区分される。図３（ｂ）に示す通り、破断底面４６ａには、中央位置にビス穴が形成され、ビス穴を通過したビスＢＳが、スプリングケース４１のネジ穴にネジ込まれることで、ボールホルダ４６とスプリングケース４１とが一体化される。なお、ビスＢＳは接着剤を塗布した状態でネジ込まれるので、装着完了後は、これを緩めることはできず、違法改造ができない。
【００３９】
また、破断底面４６ａには、円環状及び放射状に多数の破断目ノッチＮＴＨが、ビス穴の外側に形成されている（図３（ｂ））。したがって、ボールホルダ４６が上向きに強く押圧されると、破断目ノッチＮＴＨの部分を境界として、円筒本体部４６ｂと破断底面４６ａとが分離される。
【００４０】
当接部４６ｃは、下方に開放する箱状に形成され、開放端面が操作レバー２２に当接されている。したがって、操作レバー２２を挟持操作すると、当接部４６ｃが上向きに押圧されることになる。
【００４１】
操作レバー２２は、操作ヘッド２１に溶着される固定レバー２２ａと、ピンＰＮを介して固定レバー２２ａに結合される可動レバー２２ｂとで構成されている。そして、可動レバー２２ｂと固定レバー２２ａとの間には、可動レバー２２ｂに軸支された安全ストッパ６０が配置されている。
【００４２】
図３（ｄ）に略記するように、安全ストッパ６０は、基体ケース６１と、基体ケース６１に収容されたスプリング６２と、スプリング６２によって下方に付勢された状態で基体ケース６１に支持されているストッパピン６３と、ストッパピン６３と一体的に基体ケース６１から垂下される操作ケース６４とで構成されている。
【００４３】
基体ケース６１は、略直方体で下方に開放した箱状に形成され、その開放端面は、固定レバー２２ａに当接している。操作ケース６４は、その上部が基体ケース６１に収容される一方、その下部（露出部）は、固定レバー２２ａの通過穴を通過して押圧操作可能に露出している。また、基体ケース６１の側面には、ストッパピン６３がスライド移動する長穴が形成されている。なお、基体ケース６１の最上面と、操作ケース６４の最下面とは、円弧状に形成されて、上下レバー２２ａ，２２ｂの対向面を滑動するよう構成されている。
【００４４】
安全ストッパ６０は、上記の通りに構成されているので、通常時には、操作レバー２２を挟持しても、基体ケース６１の開放端面が固定レバー２２ａに係止されて、可動レバー２２ｂを押下することができない。したがって、消化剤を誤って放出してしまうことがない。
【００４５】
一方、必要時には、操作ケース６４を固定レバー２２ａに押し込んだ状態で、操作レバー２２を強く挟持すれば良い。すると、基体ケース６１の開放端面の規制が解除されるので、可動レバー２２ｂと固定レバー２２ａとを限界位置まで近づけることができる。このようにして、操作レバー２２を挟持すると、ボールホルダ４６の当接部４６ｃが上向きに押圧されることで、破断底面４６ａの破断目ノッチＮＴＨが破断して、破断底面４６ａの一部を残して、ボールホルダ４６の円筒本体部４６ｂ及び当接部４６ｃが上方に移動する。
【００４６】
ボールホルダ４６の円筒本体部４６ｂが上方に移動すると、ストッパボール４５に対する規制が解除されるので、ストッパボール４５が、開封スプリング４２の付勢力によって、径方向外向きに押し出される。すると、バネ座４３とスプリングケース４１の係合状態が解除されることで、開封スプリング４２が、破封矢４４を、バネ座４３と共に勢い良く下方に押し下げる。
【００４７】
その結果、破封矢４４が密封板２５を破ることになり、消化剤が、サイホン２７から破封矢４４に至る通路を上昇して、切込み溝４４ｂを通過して放出部２３のホース５２から勢い良く噴出される。
【００４８】
本実施例は、容器本体１と操作部２とを分離できないので、使用後の消火器が悪用される可能性が極めて低い。なお、消化剤を再充填するには、操作ヘッド２１を壊して、消火器を分解し、固定金具２０に密封板２５を取り付けると共に、消化剤を再充填して、新規の操作部２を取り付ける。
【００４９】
次に、実施例に係る消火器ＥＸの組立て方法を、消化剤の充填方法と共に説明する。消火器ＥＸを完成させる場合には、それに先立って、操作部２を組立てる必要がある。
【００５０】
そのためには、先ず、開封スプリング４２を収容したスプリングケース４１に、破封矢４４を装着したバネ座４３を収容する。なお、この状態では、開封スプリング４２は自由状態であり、ストッパボール４５は、バネ座４３に配置されていない。
【００５１】
次に、開封スプリング４２の付勢力に対抗して、破封矢４４をスプリングケース４１に押し込み、バネ座４３の周縁に形成されている円弧溝ＧＵにストッパボール４５を押し込む。そして、ストッパボール４５が転がり出しないよう保持した状態で、ボールホルダ４６を素早く被せる。そして、ボールホルダ４６の破断底面４６ａからビスＢＳをネジ込んで、ボールホルダ４６とスプリングケース４１とを固定する。この結果、ストッパボール４５によって、開封スプリング４２は収縮状態に維持される。
【００５２】
そこで、次に、必要部材を内包するスプリングケース４１及びボールホルダ４６を、操作ヘッド２１に取り付ける。なお、この状態では、操作ヘッド２１に操作レバー２２と、ホース金具５１とが装着済みであるとするが、装着順序は、必ずしも、限定されない。
【００５３】
いずれにしても、操作ヘッド２１の垂直穴ＧＶ１の底面に、ガスケット４０Ｂを配置した状態で、ビスＢＳを回転させることで、スプリングケース４１を、垂直穴ＧＶ１の中に螺合させる。この取付け作業によって、スプリングケース４１とボールホルダ４６とが、必要部材を内包した状態で操作ヘッド２１に固定されることになる。
【００５４】
このようにして一体化された操作部２は、次に、突出金具１２に螺合される。具体的には、操作ヘッド２１を突出金具１２に螺合させるが、先に説明した通り、操作ヘッド２１のカム面ＣＡＭと、突出金具１２の外周面と、ロックカムローラ３１とで、ワンウェイクラッチを形成しているので、螺合作業を終えた後は、もはや逆方向に回転させることはできず、操作部２は容器本体１に対して分離不能となる。図４（ｂ）の矢印は、操作ヘッド２１のロック方向を示しており、操作ヘッド２１を、図示の矢印方向に回転させることはできない。
【００５５】
ところで、上記した組立て作業に先行して、容器本体１には加圧状態の消化剤が充填されている必要がある。そこで、最後に、消化剤の充填方法について説明する。
【００５６】
消化剤の充填作業においては、固定金具２０を挿入しない状態で、突出金具１２から、消化剤が常圧下で注入される。なお、消化剤は、典型的には、液体又は粉体で構成される。
【００５７】
次に、突出金具１２に固定金具２０を挿入し、固定金具２０を完全に締め込まない状態で空気や窒素などの気体が加圧充填される。このとき、隆起部２６は、突出金具のテーパ面ＴＰに接触していないので、固定金具２０の外側に配置した専用装置から供給される気体は、固定金具２０の外側⇒突出金具１２のテーパ面ＴＰと連絡部２０ｂとの隙間⇒連通穴２８の経路を通過して容器本体１に充填される。そして、加圧気体の充填が終われば、固定金具２０を突出金具１２に完全に締め込んで、メタルタッチによる封止作業を終える。
【００５８】
以上、本発明の実施例について詳細に説明したが、具体的な記載内容は特に本発明を限定するものではない。
【図面の簡単な説明】
【００５９】
【図１】実施例に係る消火器の正面図である。
【図２】圧力計の取り付け状態を示す図面である。
【図３】操作部の構成を示す図面である。
【図４】本体容器と操作部との接続関係を示す図面である。
【図５】可動部の構成を示す図面である。
【符号の説明】
【００６０】
１    容器本体
２    操作部
ＥＸ  消火器
１２  外側金具
２０  内側金具
２６  第一シール部
２５  第二シール部
【図１】
2010082349.tif 000003
【図２】
2010082349.tif 000004
【図３】
2010082349.tif 000005
【図４】
2010082349.tif 000006
【図５】
2010082349.tif 000007